(57)【特許請求の範囲】
【請求項１】
収納筒体に逆止弁カートリッジを装着した蓋筒体を着脱自在に取付ける逆止弁の取付構造であって、前記蓋筒体の外周に形成した外周溝に装着した拡縮自在な略C形状の接合リング体と、この接合リング体の挿入側に設けた係合リング部と、この係合リング部の挿入側先端に形成したテーパ状のガイド部とを備えると共に、前記収納筒体の挿入側内周面には、環状係止溝が形成され、前記収納筒体に前記蓋筒体を挿入する際に、前記ガイド部が案内されながら前記接合リング体が縮径した状態で前記環状係止溝に挿入され、かつ前記接合リング体が前記環状係止溝内で拡径させて前記収納筒体と前記蓋筒体とを接合固定し、前記収納筒体から前記蓋筒体を離脱する際は、前記接合リング体を縮径した状態で前記蓋筒体を取り外すようにしたことを特徴とする逆止弁の取付構造。
【請求項２】
前記収納筒体の開口挿入端の内周面に前記接合リング体の挿入時に案内する案内テーパ面を形成した請求項１に記載の逆止弁の取付構造。
【請求項３】
前記接合リング体は、介在リング部と挿入側に係合リング部とを一体に設け、前記収納筒体に前記蓋筒体を接合したときに、前記介在リング部が前記収納筒体の開口端と前記蓋筒体との間に露出状態で介在した請求項１又は２に記載の逆止弁の取付構造。
【請求項４】
前記介在リング部の自由端部に前記接合リング体を縮径するための摘み操作部を設けた請求項３に記載の逆止弁の取付構造。
【請求項５】
前記介在リング部の自由端部に前記接合リング体の拡径状態をロックするためのロック部材を設けた請求項３又は４に記載の逆止弁の取付構造。
【請求項６】
ベース体の長手方向に水道メータを圧着するための１次側取付部材と２次側取付部材とを配設し、前記２次側取付部材側に請求項１乃至５の何れか１項に記載の逆止弁の取付構造を設けたことを特徴とする水道用メータユニット。
【発明の詳細な説明】
【技術分野】
【０００１】
本発明は、カートリッジ式の逆止弁を交換可能に着脱できる逆止弁の取付構造と、これを用いた水道用メータユニットに関する。
【背景技術】
【０００２】
水道配管や水道用機器等の途中には、流体の逆流を防ぐため逆止弁が設けられている。
この種の逆止弁は、メンテナンス等の必要性から、機器内から簡単に取り外し及び取り付けができるようにする必要がある。このうち水道用メータユニットに備えられる逆止弁は、ボデー、弁体、弁座などの全体を一体的にカートリッジ化させた上で、所定の逆止弁カートリッジの取付構造を介して水道用メータユニットの２次側に対して着脱自在とし、逆止弁のみを交換・メンテナンスし易くした構造が採用されている。上記のような逆止弁カートリッジの取付構造としては、従来より種々の形態が提案されており、例えば特許文献１、２を挙げることができる。
【０００３】
特許文献１は、逆止弁ホルダーの基部に逆止弁ユニットを内設し、この状態の逆止弁ホルダーを所定姿勢で固定具の本体部内側に挿入し所定角度回動させることで、逆止弁ホルダーの基部外周側面の第一係止鍔が、固定具の本体一端側内面の第二係止鍔に係止することにより、逆止弁ホルダーと固定具との軸方向移動が抑制される逆止弁の取付構造が示されている。
【０００４】
特許文献２は、キャップ部材の段部面に逆止弁カートリッジを嵌合し、この状態のキャップ部材を、内周溝部に装着された固定リングを縮径させたまま二次側筒状部材のメータ側端部へ装着して固定リングを拡径弾発させることで、拡径した固定リングが二次側筒状部材の外周溝部に係止することにより、キャップ部材と固定部材とが着脱自在に接合する逆止弁の取付構造が示されている。
【先行技術文献】
【特許文献】
【０００５】
【特許文献１】特開２０１４−８４９９２号公報
【特許文献２】特許第４４５９７８０号公報
【発明の概要】
【発明が解決しようとする課題】
【０００６】
しかしながら、特許文献１は、逆止弁ホルダーと固定具とがいわゆるバヨネット結合するものであり、逆止弁ホルダーに設けられる第一係止鍔の構造は、互いに長さの異なる複数個の半円弧状のもの、あるいは基部の周側面から傾斜して複数個を突設したものなど、複雑な構造となっており、これら第一係止鍔部の複雑な構造に応じて、第二係止鍔部の構造も複雑化している。また、同文献の取付構造の着脱動作は、工具は不要であるものの、特定角度の範囲内で逆止弁ホルダーを固定具に挿入させる動作や、特定方向への逆止弁ホルダーの回動動作を含む複数動作から成るものであるから、手間のかかる面倒で複雑な着脱動作となることが避けられず、作業性が大きく損なわれている。
【０００７】
特許文献２では、固定リングの拡縮によりキャップ部材と固定部材とが着脱するものであるから、工具を使用しないでキャップ部材を取り外すことはできるが、固定リングを装着するキャップ部材の内周溝部などの構造が複雑なものとなると共に、取付けの際は固定リングの縮径を維持させたままキャップ部材を挿入しなければならないことから、着脱作業の簡易性が未だ不十分である。
【０００８】
その他、取付け部材のカートリッジ嵌合部に逆止カートリッジ本体を嵌め、この状態の取付け部材をケースの貫通孔に挿入して回動させることで、取付け部材の筒状部外周側面の雄ねじが、ケースの筒状部内周側面のめねじとネジ結合することにより、取付け部材とケースとが着脱自在に取り付けられる逆止弁の取付構造も提案されている。しかしながら、取付け部材とケースとを単にネジ結合する場合は、たとえ水道メータの接続には工具が不要な場合であっても、取付け部材の着脱には工具が必須となるので、工具を用いた所定の正確性が要求される手間のかかる着脱作業となることが避けられない。
【０００９】
そこで、本発明は上記問題を解決するために開発されたものであり、その目的とするところは、簡素な構造で、着脱の動作も工具が不要な極めて簡易な手作業で済ませることができると共に、取付状態を外部から容易に確認することができ、しかも、所要期間必要とされるシール性を維持してみだりに脱落するおそれのない確実で安定した取り付け及び容易な取り外しを可能とした逆止弁の取付構造とこれを用いた水道用メータユニットを提供することにある。
【課題を解決するための手段】
【００１０】
上記目的を達成するため、請求項１に係る発明は、収納筒体に逆止弁カートリッジを装着した蓋筒体を着脱自在に取付ける逆止弁の取付構造であって、前記蓋筒体の外周に形成した外周溝に装着した拡縮自在な略C形状の接合リング体と、この接合リング体の挿入側に設けた係合リング部と、この係合リング部の挿入側先端に形成したテーパ状のガイド部とを備えると共に、前記収納筒体の挿入側内周面には、環状係止溝が形成され、前記収納筒体に前記蓋筒体を挿入する際に、前記ガイド部が案内されながら前記接合リング体が縮径した状態で前記環状係止溝に挿入され、かつ前記接合リング体が前記環状係止溝内で拡径させて前記収納筒体と前記蓋筒体とを接合固定し、前記収納筒体から前記蓋筒体を離脱する際は、前記接合リング体を縮径した状態で前記蓋筒体を取り外すようにした逆止弁の取付構造である。
【００１１】
請求項２に係る発明は、収納筒体の開口挿入端の内周面に接合リング体の挿入時に案内する案内テーパ面を形成した逆止弁の取付構造である。
【００１２】
請求項３に係る発明は、接合リング体は、介在リング部と挿入側に係合リング部とを一体に設け、収納筒体に蓋筒体を接合したときに、介在リング部が収納筒体の開口端と蓋筒体との間に露出状態で介在した逆止弁の取付構造である。
【００１４】
請求項４に係る発明は、介在リング部の自由端部に接合リング体を縮径するための摘み操作部を設けた逆止弁の取付構造である。
【００１５】
請求項５に係る発明は、介在リング部の自由端部に接合リング体の拡径状態をロックするためのロック部材を設けた逆止弁の取付構造である。
【００１６】
請求項６に係る発明は、ベース体の長手方向に水道メータを圧着するための１次側取付部材と２次側取付部材とを配設し、２次側取付部材側に逆止弁の取付構造を設けた水道用メータユニットである。
【発明の効果】
【００１７】
請求項１に記載の発明によると、逆止弁カートリッジを装着した蓋筒体を収納筒体に挿入する動作のみで、収納筒体内に蓋筒体を確実に装着することができ、従来方式のように特殊な工具を用いたり、複雑な動作を全く必要としない。一方、蓋筒体を取り外す場合も、接合リング体を縮径する動作のみで、そのまま蓋筒体を引き出すことが可能となり、もって逆止弁の取付け動作が確実に実施できるばかりでなく、極めて簡便な作業となると共に、収納筒体に蓋筒体を挿入する際に、接合リング体を円滑に縮径することができワンタッチで確実に逆止弁を装着した蓋筒体を収納筒体に取り付け可能となる。
【００１８】
請求項２に記載の発明によると、蓋筒体を収納筒体に挿入するのみで、接合リング体が自動的に縮径するので、極めて簡便かつ確実に蓋筒体を取付けることができる。
【００１９】
請求項３に記載の発明によると、接合リング体の介在リング部を外部から視認できるので、逆止弁の取付状態を確認することが可能となり、取付リング部材が内部に収納され外部から視認できない場合に比して安全な取り扱いが可能となる。
【００２１】
請求項４に記載の発明によると、外部に露出した摘み操作部で縮径動作を可能とするため簡易にかつ確実に蓋筒体を挿入することが可能となる。
【００２２】
請求項５に記載の発明によると、使用中にみだりに接合リング体が縮径したり拡径することがなく極めて安全である。
【００２３】
請求項６に記載の発明によると、簡素な構造で、着脱の動作も工具が不要な極めて簡易な手作業で済ませることができると共に、取付状態を外部から容易に確認することができ、しかも、所要期間必要とされるシール性を維持してみだりに脱落するおそれのない確実で安定した取り付け及び容易な取り外しを可能とした逆止弁の取付構造とこれを用いた水道用メータユニットを提供することができる。
【図面の簡単な説明】
【００２４】
【図１】本発明の水道用メータユニットの一例の２次側取付部材を示した部分拡大断面図である。
【図２】本発明の水道用メータユニットの全体を示した斜視図である。
【図３】図１の要部拡大断面図である。
【図４】接合リング体の斜視図である。
【図５】接合リング体の正面図である。
【図６】ロック部材をロックした状態を示した接合リング体の平面図である。
【図７】接合リング体の側面半裁断面図である。
【図８】図３において蓋筒体を取り付ける途中状態を示した要部拡大断面図である。
【図９】図３、８において蓋筒体を取り外した状態を示した要部拡大断面図である。
【発明を実施するための形態】
【００２５】
以下に、本発明の逆止弁の取付構造とこれを用いた水道用メータユニットの実施形態を図面を用いて詳細に説明する。
【００２６】
図１は、本発明の水道用メータユニットの一例において、２次側取付部材を示した部分拡大断面図である。本実施形態の２次側取付部材１は、収納筒体２と、メータ受け部材３とを有しており、同図は蓋筒体４が収納筒体２に接合固定された状態を示している。
【００２７】
収納筒体２は、本実施形態では、底部の基部５と、内部の収納部６と、収納部６と連通して図示しない外部流路と接続可能な貫通孔７とを有しているが、逆止弁カートリッジを内部に収納し逆流防止機能を発揮して流路を媒介する部材であれば特に制限されない。基部５は、鋳造などにより成形され、ボルト８の螺着によりベース体９と保持帯１０と共に一体化されている。ベース体９は鋼材等の金属製板材からプレス絞り成型加工により長尺状に形成され、保持帯１０はＡＢＳ樹脂、ポリアセタール等の弾性を有する樹脂によりベース体９の長手方向に長尺状に所定の構造で形成されている。
【００２８】
蓋筒体４は、本実施形態では、鍔部１１と筒状部１２とを有しており、筒状部１２内周面の装着部１３に逆止弁カートリッジ１５が装着された状態で筒状部１２を収納部６へ収納して、後述する接合リング体１６を用いた本発明の逆止弁の取付構造により収納筒体２に接合固定されているが、逆止弁カートリッジ１５を着脱自在に装着して収納筒体２に逆止弁カートリッジ１５を交換可能に取り付け及び取り外し可能な部材であれば特に制限されない。鍔部１１には、水道用メータの２次側が圧着する圧着面１７（水道メータとシールするパッキン）が設けられている。蓋筒体４は、後述するように収納部６にネジ結合する構造ではないことから、その鍔部１１の外形は、工具で把持するような六角面部とする必要がなく、本実施形態では、収納筒体２の円筒状外径部２ａと略同径の円板状に形成している。
【００２９】
メータ受け部材３は、所定の取付構造にて保持帯１０上に着脱自在に取付けられており、その上部には、図示しない水道用メータの２次側を支受可能な支受部１８が設けられ、この支受部１８には略円弧状の載置面１９が形成されている。また図１に一点鎖線で示したように、メータ受け部材３は、蓋筒体４を収納筒体２から取り外す場合などのために、ベース体９の長手方向に沿ってスライド可能となっている。
【００３０】
逆止弁カートリッジ１５は、本実施形態では、図３に示すように、本体１５ａと、コイルスプリング１５ｂによって弁座２１へ向けて弾発付勢された略傘形状の弁体２０と、弁座２１側に設けられた保持部材２２とを有した略筒状を呈したカートリッジであり、Ｏリング２３を介して保持部材２２の外周が蓋筒体４の装着部１３に着脱自在に嵌合しているが、カートリッジ式の逆止弁であれば特に制限されない。流路孔（図示せず）を有する本体１５ａは、ゴム製の弁座２１を挟んだ状態で保持部材２２に係合固定されている。
【００３１】
図２は、本発明の水道用メータユニットの全体を示した斜視図である。本発明の水道用メータユニットは、ベース体９の長手方向に水道メータを圧着するための１次側取付部材２４と２次側取付部材１とを配設し、２次側取付部材１側に本発明の逆止弁の取付構造を設けている。
【００３２】
１次側取付部材２４は、２次側取付部材１と共に水道用メータを圧着固定可能に設けられており、基部２５と、配管２６と、ハンドル２７と、圧着部材２８と、第１支持部材２９とを有している。基部２５は、基部５と同様に、ボルトの螺着によりベース体９と保持帯１０と共に一体化されている。配管２６はエルボよりなり、エルボ２６は基部２５の１次側から挿入されて接合されている。また、ハンドル２７の回転操作による回転力を圧着部材２８に伝達して圧着部材２８が基部２５に対して進退することで、水道用メータの１次側と２次側とを圧着又は圧着を解除させて水道用メータを着脱できるようになっている。第１支持部材２９は、水道用メータ受けとしての機能と、圧着部材２８の進出量を制限する機能とを有している。
【００３３】
次いで、本発明の逆止弁の取付構造を説明する。本発明における逆止弁の取付構造は、収納筒体２に逆止弁カートリッジ１５を装着した蓋筒体４を着脱自在に取り付ける逆止弁の取付構造である。図３は、図１の要部拡大断面図であり、逆止弁カートリッジ１５を装着した蓋筒体４が収納筒体２の収納部６に挿入された後、接合リング体１６が環状係止溝３０内で拡径して収納筒体２と蓋筒体４とを接合固定した状態を示している。
【００３４】
蓋筒体４は、円環状の鍔部１１と挿入側（図１、３における右側）の円筒状の筒状部１２とが一体に形成された筒状部材であり、蓋筒体４の外周である筒状部１２外周の鍔部１１の付根部には、適切な深さと幅（軸方向長さ）を有する外周溝３１が環状に形成されている（図９に示す３１ａは、外周溝３１の右側面部である。）。この外周溝３１には、後述する接合リング体１６が径方向に遊嵌可能な状態で装着されている。外周溝３１より挿入側にはテーパ部３２が形成され、その更に挿入側に形成した装着溝３３ａにはＯリング３３が設けられている。また、筒状部１２内周面の低側面部には、逆止弁カートリッジ１５の保持部材２２の外周を嵌めて着脱自在に装着することができる装着部１３が形成されている。外周溝３１の深さ（内径寸法）は、蓋筒体４を収納筒体２に挿入する際に、係合リング部３７が案内テーパ面４８を超えて挿入することができるよう、係合リング部３７の外径が案内テーパ面４８の内径と略同じかやや小径となるまで接合リング体１６を縮径した状態において、接合リング体１６の内径部４０と干渉しない深さに設けている。
【００３５】
収納筒体２の収納部６には、逆止弁カートリッジ１５を装着した蓋筒体４を収納できる。収納時は、１次側取付部材２４と２次側取付部材１との間に圧着固定された水道用メータの２次側流路の軸心と同心状に、蓋筒体４の軸心を取付けると共に、この蓋筒体４と収納筒体２との間を液密にシールすることができる。収納部６内周面は、蓋筒体４外周面の形状に適合して嵌合させることができる形状に形成されており、本実施形態では、筒状部１２のテーパ部３２と適合するテーパ部６ａが形成されているので、接合リング体１６を円滑に縮径することができる。また、筒状部１２外周面を確実に嵌合固着させることができるので、蓋筒体４の軸ずれが防止できる。また、収納部６内周面は、開口端３４を介して挿入側方向（図１、３における左方向）へ向けて外部に開口している。
【００３６】
筒状部１２のテーパ部３２と収納部６のテーパ部６ａとは当接させる必要はなく、また筒状部１２の先端部と収納部６の底部３６とは当接させる必要はない。
【００３７】
収納筒体２の収納部６の挿入側内周面には、開口端３４から適切な位置に環状係止溝３０が形成されている（図３、９に示した３０ａは、環状係止溝３０の開口側段部面を、３０ｂは、環状係止溝３０の奥側段部面を、３０ｃは、環状係止溝３０の内周面それぞれ示している。）。また、環状係止溝３０と開口端３４との間の開口挿入端３５内周面は、開口端３４と同心状に収納部６奥側へ向かって縮径して接合リング体１６の挿入時に案内する案内テーパ面４８が形成されている。
【００３８】
蓋筒体４の収納筒体２に対する軸方向位置は、接合リング体１６が蓋筒体４の外周溝３１に装着されて、係合リング部３７が収納筒体２の環状係止溝３０に係合することで定まる。具体的には、接合リング体１６が、軸方向への移動を規制された状態で外周溝３１内に装着され、この接合リング体１６の係合リング部３７の、少なくとも介在リング部３８側の側面３７ａが、収納筒体２の環状係止溝３０の開口側段部面３０ａと係合することにより、蓋筒体４が外れる方向（図１、３における左方向）への移動が規制され、蓋筒体４の収納筒体２への装着が完了した状態となる。
【００３９】
また、蓋部材４は水道メータが圧着されることにより、収納筒体２に挿入される方向（図３における右方向）へ押され、接合リング体１６の介在リング部３８を介して収納筒体２に押圧固定される。
【００４０】
図３に示す接合固定状態では、筒状部１２外周面が収納部６内周面とＯリング３３を介して液密に嵌合し、筒状部１２の先端面と底部３６とが対向している。また、接合リング体１６の拡径により、係合リング部３７が環状係止溝３０内に拡がって係合していると共に、介在リング部３７は、両側が鍔部１１及び開口端３４にそれぞれ対向している。
【００４１】
また、図２に示すように、この接合固定状態では、介在リング部３８が収納筒体２の開口端３４と蓋筒体４の鍔部１１との間に露出状態で介在しており、接合リング体１６の状態を外部から視認可能となっていると共に、介在リング部３８の介在によって接合リング部３７は、軸心方向に確実にかつ安定状態で接合固定される。
【００４２】
上記のように、本発明の逆止弁の取付構造は、蓋筒体４の外周溝３１と、この外周溝３１に装着された所定構造の接合リング体１６と、収納筒体２の環状係止溝３０とを有する簡素な構造であり、とくにネジ部が皆無であることから、回転装着が不要となり組立工程が簡略化され製造にあたってはコストダウンを図ることができる。
【００４３】
しかも、蓋筒体４の軸心回り方向の回転角度と無関係に、係合リング部３７と環状係止溝３０との係止によって接合固定されるから、蓋筒体４に不意な回動力が作用しても収納筒体２からみだりに脱落するおそれがなく、安定確実な接合固定である。
【００４４】
また、接合固定状態の接合リング体１６の状態を外部から視認可能であるから、例えば使用中の接合リング体１６の拡径の復元性などの状態を簡単に把握することができるので、逆止弁カートリッジ１５を取り外す際の作業の安全性を高めることができる。さらに、接合リング体１６には蓋筒体４と収納筒体２とのシール機能が要求されないから、接合リング体１６を樹脂製とすることも可能であり、もって接合リング体１６を安価に実現することができる。
【００４５】
続いて、本発明の接合リング体１６の構造を説明する。図４はロック部材３９が取り付けられていない接合リング体１６の斜視図を示し、図５はロック部材３９が取り付けられた接合リング体１６の正面図を示し、図６はロック部材３９をロックした状態の接合リング体１６の正面図を示し、図７は図５に示した接合リング体１６の左側面半裁断面図である。
【００４６】
図４、５に示すように、接合リング体１６は、略Ｃ字形状を呈しており、この形状は円形部材の１箇所を径方向に切断して切断面間を所定距離押し広げて円形部材を弾性変形させたような形状となっている。本実施形態の接合リング体１６は、同図に示す略Ｃ字形状が、非弾性変形状態の自然形状であり、径方向へ拡縮させると、この自然形状に復元するように弾発する弾性部材である。
【００４７】
自然形状の径の大きさは、前述の蓋筒体４の外周溝３１に遊嵌状に装着され、かつ、その内径部４０が外周溝３１内に係止される程度の径を適宜選択すれば好適である。
【００４８】
図４の自由端部４１や、図１、３、７、８の断面に示されるように、接合リング体１６は断面略Ｃ字形状であり、相対的に大きい厚みと径を有する介在リング部３８と、幅方向円筒状の内径部４０を介して、この介在リング部３８に平行で接合リング体１６の挿入側の係合リング部３７とが、一体に設けられている。また、係合リング部３７の挿入側先端には、テーパ状のガイド部４２が設けられている。内径部４０の幅は、前述の蓋筒体４の外周溝３１の幅と同程度か、僅かに狭い程度の幅を適宜選択すれば好適である。また、図３、７、９に示した３７ａは、係合リング部３７の左側面部を、３７ｂは、係合リング部３７の右側面部を、それぞれ示している。
【００４９】
図４、５に示すように、自由端部４１には、接合リング体１６を径方向に押圧して縮径するための摘み操作部４３が設けられている。また、摘み操作部４３には、図５に示すように、接合リング体１６が自然形状のときに互いに略平行となるような２本の突起部４４、４５が設けられている。
【００５０】
図５、６、７に示すように、突起部４４に接合リング体１６の拡径状態をロックできるロック部材３９が設けられている。図６に示すように、本実施形態では、ロック部材３９は貫通孔状の軸着部４６と円弧状に切り欠かれた係合部４７とを有しており、軸着部４６が一方の突起部４４に軸支されてロック部材３９が軸着部４６まわりを回動可能となり、係合部４７が他方の突起部４５に係合可能となっている。同図の一点鎖線は回動して係合が解除されたロック部材３９を示しており、係合部４７が突起部４５に係合した状態では、ロック部材３９が突起部４４、４５を固定して自由端部４１間の径方向距離変化が固定されるから、接合リング体１６の拡縮が固定される。
【００５１】
このため、図１、３に示した接合固定状態においては、ロック部材３９の大きさ（軸着部４６と係合部４７との距離）を適宜選択することで、係合部４７を突起部４５にロックした際、接合リング体１６の径を、係合リング部３７が適切な径に拡径して環状係止溝３０に強固に係止させることができる径とすることができ、接合固定を安定確実なものとすることができる。なお、本発明のロック部材は接合リング体の拡径状態をロックできるように構成されていれば特に制限されないものであり、ロック部材３９は、軸着部４６を突起部４５に軸支させたり、上下反転させて回動方向を逆向きに軸支させてもよく、実施に応じて適宜選択できる。
【００５２】
続いて、本発明の逆止弁の取付構造の作用を説明する。図８は、蓋筒体４を収納筒体２へ取り付けて接合固定する（又は取り外して接合固定状態を解除する）途中の状態を示した要部拡大断面図であり、図９は、図３、８において蓋筒体４を収納筒体２から取り外した状態を示した要部拡大断面図である。
【００５３】
本発明では、収納筒体２に蓋筒体４を挿入する際、接合リング体１６が縮径した状態で環状係止溝３０に挿入され、かつ接合リング体１６が環状係止溝３０内で拡径して収納筒体２と蓋筒体４とを接合固定するようにしている。
【００５４】
本実施形態における逆止弁カートリッジ１５の取付けの際は、先ず、外周溝３１に接合リング体１６を装着した蓋筒体４の装着部１３に、逆止弁カートリッジ１５の弁座２１側を嵌めて装着する。図９に示す蓋筒体４は、この状態を示しており、外周溝３１に接合リング体１６を、装着部１３に逆止弁カートリッジ１５を、それぞれ装着している。
【００５５】
次いで、この蓋筒体４の挿入側（筒状部１２側）を、収納筒体２の収納部６へ挿入する。この際、図８に示すように、係合リング部３７のガイド部４２が収納筒体２の案内テーパ面４８に当接しつつテーパに沿うようにスライドするから、接合リング体１６（係合リング部３７）に作用する挿入方向の力が効果的に縮径方向の力に変換され、接合リング体１６が縮径される。
【００５６】
また、この挿入の際、装着溝３３ａが形成された筒状部１２の挿入側部位は、テーパ部３２を段部として縮径加工されているので、Ｏリング３３と摺動する収納部６内周面の摺動箇所は、テーパ部６ａより奥側（図１、３、８、９における右側）の領域となる。このため、Ｏリングが収納部６の開口部分に掛かることなく、また、摺動距離が少なく抑えられ、Ｏリング３３の摩耗・損傷が低減される。
【００５７】
挿入を進めて、係合リング部３７が案内テーパ面４８を超えると同時に、接合リング体１６が弾性復元力により自然形状に向かって拡径弾発し、係合リング部３７が環状係止溝３０内に自動的に係止される。そして、係合リング部３７が環状係止溝３０に確実に係止して、逆止弁カートリッジ１５の取り付けが完了する。図３は、このように取り付けが完了した接合固定状態を示している。
【００５８】
係合リング部３７が環状係止溝３０に係合した接合固定状態においては、図３に示すように、拡径弾発により接合リング体１６は、環状係止溝３０の開口側段部面３０ａの内周縁部に突き当たることにより、拡径が完了する。そして、係合リング部３７の左側面部３７ａが環状係止溝３０の開口側段部面３０ａと当接することにより、接合リング体１６が位置決めされ、蓋筒体４が収納筒体２に確実に装着される。この状態では接合リング体１６（あるいは蓋筒体４）は、軸方向移動規制が確実なものとなっており、具体的には、蓋筒体４の右側（挿入側）への移動（蓋筒体４を収納筒体２へ向けて押し込もうとした場合）は、まず鍔部１１の右側面部が、対向する介在リング部３８の左側面部に押し当たり、介在リング部３８の右側面部が、対向する開口端３４に突き当たることで規制される。また、同図における蓋筒体４の左側への移動（蓋筒体４を収納筒体２から引き抜こうとした場合）は、まず外周溝３１の右側面部３１ａが、対向する係合リング部３７の右側面部３７ｂに押し当たり、次いで係合リング部３７の左側面部３７ａが、対向する環状係止溝３０の開口側段部面３０ａに突き当たることで規制される。このため、接合固定状態の蓋筒体４は、軸ずれ及び軸方向移動が確実に規制された状態となる。なお、拡径弾発により係合リング部３７の外径部が内周面３０ｃに突き当たるようにしても良い。また、係合リング部３７の右側面部３７ｂも環状係止溝３０の奥側段部面３０ｂに当接係合するようにしても良い。環状係止溝３０の開口側段部面３０ａの内周縁部は、エッジ状とならないよう、Ｒ形状やフラット部などが採用される。
【００５９】
上記のように、本発明による逆止弁の取付けの際は、蓋筒体４の姿勢や角度、あるいは締め付けやトルク管理などに一切配慮を要さず、ただ蓋筒体４を収納筒体２の収納部６へ挿入するだけのワンタッチ操作で取り付けが可能であると共に、打撃音や感触で取付の完了を把握し易いので、極めて簡易かつ安全に逆止弁の取付けができる。とくに係合リング部３７のガイド部４２や、収納筒体２の案内テーパ面４８など、取付けの挿入の際に接合リング体１６の縮径を促進するような構造が設けられていれば、ワンタッチの取付け操作がしやすくなる。また、取付け後にロック部材３９をロックすることで、接合リング体１６の縮径を固定して蓋筒体４の収納筒体２への接合固定をさらに強化できるので、蓋筒体４への不意な外力の作用や水道水圧などによる脱落の防止が万全なものとなる。
【００６０】
本発明では、収納筒体２から蓋筒体４を離脱する際は、接合リング体１６を縮径した状態で蓋筒体４を取り外すようにしている。
【００６１】
図３に示すような接合固定状態から、逆止弁カートリッジ１５を取り外す際は、先ず、図６（あるいは図２）に示すようなロック部材３９の係合部４７が突起部４５に係合した状態から、図６に一点鎖線で示したようにロック部材３９を回転させて係合を解除し、接合リング体１６を拡縮自在にする。次いで、接合リング体１６を縮径させる。この際、収納筒体２の外部に突出している摘み操作部４３を径方向に押圧することで、簡単に接合リング体１６を自由端部４１間において縮径ができる。この縮径により、係合リング部３７の環状係止溝３０への係止を解除する。
【００６２】
次いで、上記の接合リング体１６の縮径状態を維持したまま、蓋筒体４を収納筒体２の外方向（挿入方向の逆方向）へ向けて、図８に示すように、係合リング部３７が案内テーパ面４８に乗り上げるように僅かに移動させる。係合リング部３７が案内テーパ面４８に乗り上げる位置となれば、係合リング部３７は環状係止溝３０に係止することができなくなるので、この後は、接合リング体１６の拡縮に依らず、蓋筒体４を収納筒体２から引き抜くことができるようになり、図９に示すように、逆止弁カートリッジ１５の取り外しが完了する。
【００６３】
上記のように、本発明による逆止弁の取り外しの際は、接合リング体１６を縮径させた状態で僅かに流路軸線方向へ蓋筒体４を移動させるのみで取り外せるから、極めて簡易に逆止弁の取り外しができる。この際、２か所の摘み操作部４３を指先で摘まむだけで簡単に係合リング部３７の係止を解除し、接合リング体１６の縮径を維持できる。また、接合リング体１６がロック部材３９でロックされている場合、逆止弁の取り外し動作は、ロック部材の係合解除と接合リング体１６の縮径（係合リング部３７の係止解除）という動作が必要となる。このため、最初から接合リング体１６を縮径動作のみで蓋筒体４を取り外す場合と比較して、慎重で余裕のある取り外し動作となりやすいため、誤操作による漏水が生じにくく安全な取外しが可能となる。
【００６４】
更に、本発明は、前記実施の形態の記載に限定されるものではなく、本発明の特許請求の範囲に記載されている発明の要旨を逸脱しない範囲で種々の変更ができるものである。
【符号の説明】
【００６５】
１  ２次側取付部材
２  収納筒体
４  蓋筒体
９  ベース体
１５  逆止弁カートリッジ
１６  接合リング体
２４  １次側取付部材
３０  環状係止溝
３１  外周溝
３４  開口端
３５  開口挿入端
３７  係合リング部
３８  介在リング部
３９  ロック部材
４１  自由端部
４２  ガイド部
４３  摘み操作部
４８  案内テーパ面
【図１】
0006556548.tif 000002
【図２】
0006556548.tif 000003
【図３】
0006556548.tif 000004
【図４】
0006556548.tif 000005
【図５】
0006556548.tif 000006
【図６】
0006556548.tif 000007
【図７】
0006556548.tif 000008
【図８】
0006556548.tif 000009
【図９】
0006556548.tif 000010